(57)【要約】【課題】部品点数を削減する。【解決手段】第１ハウジング１０に取り付けられたスライド部材２０は、第１ハウジング１０と第２ハウジング４０との嵌合方向と交差する方向にスライドする。スライド部材２０は、第１ハウジング１０の背面から導出された電線１３を屈曲させた状態で収容する収容空間２５を有する。スライド部材２０と第２ハウジング４０には、互いに係合することにより、スライド部材２０のスライド動作に伴って第１ハウジング１０と第２ハウジング４０を嵌合させるためのカム作用を発揮する倍力機構を設けた。【選択図】図４
2009277488.tif 000002
【特許請求の範囲】
【請求項１】
第１ハウジングと、
前記第１ハウジングに取り付けられたスライド部材と、
前記第１ハウジングと嵌合可能な第２ハウジングと、
前記第１ハウジングに対し、前記スライド部材を、前記第１ハウジングと前記第２ハウジングとの嵌合方向と交差する方向にスライドさせるためのガイド手段とを備えており、
前記スライド部材には、前記第１ハウジングの背面から導出された電線を屈曲させた状態で収容する収容空間が形成され、
前記スライド部材と前記第２ハウジングには、互いに係合することにより、前記スライド部材のスライド動作に伴って前記第１ハウジングと前記第２ハウジングを嵌合させるためのカム作用を発揮する倍力機構が設けられていることを特徴とするコネクタ。
【請求項２】
前記スライド部材側の前記倍力機構を構成するカム機能部を、両ハウジングの嵌合方向とスライド部材のスライド方向の両方向に対して斜め方向に延びた形態とし、
前記第２ハウジング側の前記倍力機構を構成するカムフォロアを、前記カム機能部に沿って摺動可能な突起状の形態としたことを特徴とする請求項１記載のコネクタ。
【請求項３】
前記スライド部材は、前記第１ハウジングと前記第２ハウジングを浅く嵌合させるのに伴って前記倍力機構を係合状態にすることが可能な待受位置と、前記第１ハウジングと前記第２ハウジングを嵌合状態とする嵌合位置との間でスライド可能となっており、
前記スライド部材を前記待受位置に保持することが可能な仮係止手段が設けられていることを特徴とする請求項１又は請求項２記載のコネクタ。
【請求項４】
前記スライド部材が前記待受位置にある状態では、前記第１ハウジングの背面から導出された電線が、前記スライド部材の内部で屈曲されて、前記スライド部材の前記嵌合位置へのスライド方向とほぼ同じ方向に前記スライド部材外へ導出された状態となっていることを特徴とする請求項３記載のコネクタ。
【発明の詳細な説明】
【技術分野】
【０００１】
本発明は、コネクタに関するものである。
【背景技術】
【０００２】
特許文献１には、第１ハウジングに設けたレバーを操作することにより、第１ハウジングと第２ハウジングとを小さい操作力によって嵌合するようにしたレバー式のコネクタが開示されている。第１ハウジングには、その背面を覆うように電線カバーが取り付けられ、第１ハウジングの背面から導出された電線が、電線カバーの内部で背面と平行をなすように曲げられて電線カバー外へ導出されている。また、レバーは、両ハウジングの嵌合方向と交差する方向にスライドするようにガイドされており、レバーをスライドさせると、レバーのカム溝と第２ハウジングのカムフォロアとの係合によるカム作用により、両ハウジングが嵌合されるようになっている。
【特許文献１】特開２００３−１５１６８８公報
【発明の開示】
【発明が解決しようとする課題】
【０００３】
上記従来のコネクタにおいて、レバーは両ハウジングを嵌合する際に操作力を低減するための倍力手段として機能するのに対し、電線カバーは電線を所望の方向へ向きを変えるための転向手段として機能する。このように、レバーと電線カバーは、互いに異なる目的で設けられたものであることから、別々の独立した部品として第１ハウジングに取り付けられているが、独立した部品にすると、部品点数が増えることは避けられない。  
本発明は上記のような事情に基づいて完成されたものであって、部品点数の削減を図ることを目的とする。
【課題を解決するための手段】
【０００４】
上記の目的を達成するための手段として、請求項１の発明は、第１ハウジングと、前記第１ハウジングに取り付けられたスライド部材と、前記第１ハウジングと嵌合可能な第２ハウジングと、前記第１ハウジングに対し、前記スライド部材を、前記第１ハウジングと前記第２ハウジングとの嵌合方向と交差する方向にスライドさせるためのガイド手段とを備えており、前記スライド部材には、前記第１ハウジングの背面から導出された電線を屈曲させた状態で収容する収容空間が形成され、前記スライド部材と前記第２ハウジングには、互いに係合することにより、前記スライド部材のスライド動作に伴って前記第１ハウジングと前記第２ハウジングを嵌合させるためのカム作用を発揮する倍力機構が設けられているところに特徴を有する。
【０００５】
請求項２の発明は、請求項１に記載のものにおいて、前記スライド部材側の前記倍力機構を構成するカム機能部を、両ハウジングの嵌合方向とスライド部材のスライド方向の両方向に対して斜め方向に延びた形態とし、前記第２ハウジング側の前記倍力機構を構成するカムフォロアを、前記カム機能部に沿って摺動可能な突起状の形態としたところに特徴を有する。
【０００６】
請求項３の発明は、請求項１または請求項２に記載のものにおいて、前記スライド部材は、前記第１ハウジングと前記第２ハウジングを浅く嵌合させるのに伴って前記倍力機構を係合状態にすることが可能な待受位置と、前記第１ハウジングと前記第２ハウジングを嵌合状態とする嵌合位置との間でスライド可能となっており、前記スライド部材を前記待受位置に保持することが可能な仮係止手段が設けられているところに特徴を有する。
【０００７】
請求項４の発明は、請求項３に記載のものにおいて、前記スライド部材が前記待受位置にある状態では、前記第１ハウジングの背面から導出された電線が、前記スライド部材の内部で屈曲されて、前記スライド部材の前記嵌合位置へのスライド方向とほぼ同じ方向に前記スライド部材外へ導出された状態となっているところに特徴を有する。
【発明の効果】
【０００８】
＜請求項１の発明＞
スライド部材が、第１ハウジングと第２ハウジングを嵌合させるための倍力手段としての機能と、電線を屈曲させる転向手段としての機能を兼ね備えているので、倍力手段としてのレバーと転向手段としての電線カバーとを、別々の部品にする必要がない。したがって、部品点数を削減できる。
【０００９】
＜請求項２の発明＞
スライド部材をスライドさせると、カムフォロアがカム機能部に沿って摺動することにより、両ハウジングが嵌合される。
【００１０】
＜請求項３の発明＞
両ハウジングを嵌合する際には、予め、仮係止手段によってスライド部材を待受位置に保持しておくことができるので、両ハウジングの嵌合時の作業性が向上する。
【００１１】
＜請求項４の発明＞
スライド部材が待受位置にある状態では、電線が、スライド部材のスライド方向とぼ同じ方向へ転向されてスライド部材外へ導出されているので、スライド部材の待受位置から嵌合位置へのスライド動作が、電線によって妨げられる虞がない。
【発明を実施するための最良の形態】
【００１２】
＜実施形態１＞
以下、本発明を具体化した実施形態１を図１乃至図９を参照して説明する。本実施形態のコネクタは、第１ハウジング１０とスライド部材２０と第２ハウジング４０とを備えて構成されている。
【００１３】
第１ハウジング１０は、合成樹脂製であり、ブロック状をなす端子収容部１１と、端子収容部１１から前方へ角筒状に延出するフード部１２とを一体に形成したものである。端子収容部１１内には、複数の周知形態の雄端子金具（図示せず）が背面側（図１における右側）から挿入されている。雄端子金具の後端部に接続された電線１３は、端子収容部１１の背面から後方へ導出されて、一纏めに束ねられている。また、雄端子金具の前端部のタブは、端子収容部１１の正面（前端面）から前方へ突出してフード部１２により包囲されている。
【００１４】
端子収容部１１の上面（図１に現れている面）と下面（図１では隠れている面）には、夫々、両ハウジング１０，４０の嵌合方向と直交する幅方向（左右方向）に直線状に延びる前後一対ずつのガイド溝１４（本発明の構成要件であるガイド手段）が端子収容部１１の全幅に亘って形成されている。前側のガイド溝１４は、その左右両端が開放されているとともに、後方へも開放された形態であり、後側のガイド溝１４は、その左右両端が開放されているとともに、前方へも開放された形態である。つまり、前後一対のガイド溝１４は、互いに対向した形態となっている。また、ガイド溝１４内には、係止突起１５（本発明の構成要件である仮係止手段）が形成されている。
【００１５】
フード部１２を構成する上面壁及び下面壁には、夫々、その前端縁から後方へ直線状に（両ハウジング１０，４０の嵌合方向と平行に）切欠した形態の逃がし溝１６が形成されている。この逃がし溝１６は、幅方向における中央位置に配されている。また、フード部１２の上面壁の上面（外面）及び下面壁の下面（外面）には、夫々、その前端縁に沿って幅方向に延びる規制リブ１７が形成されている。規制リブ１７は、側方から視て略Ｌ字形に屈曲し、後方を向いた形態であり、逃がし溝１６を挟んで左右一対ずつ形成されている。規制リブ１７とフード部１２の外面との間には規制溝１８が形成されている。規制溝１８は、左右両端において開放されているとともに、後方へも開放された形態となっている。
【００１６】
スライド部材２０は、合成樹脂製であり、上面板２１と、下面板２２と、上下両面板２１，２２の一方の側縁同士を繋ぐ形態の側面板２３と、上下両面板２１，２２の後端縁同士と側面板２３の後端とを繋ぐ形態の後面板２４とを一体に形成したものである。スライド部材２０の内部は、前方に開放されているとともに、幅方向において側面板２３とは反対の側方にも開放された形態の収容空間２５となっている。前方への開口部は、第１ハウジング１０に組み付けるための組付用開口部２６となっており、側方への開口部は、収容空間２５内の電線１３をスライド部材２０外へ導出するための電線導出口２７となっている。組付用開口部２６と電線導出口２７とは互いに連通している。
【００１７】
スライド部材２０の上面板２１の内面と下面板２２の内面には、夫々、前後一対ずつのガイドリブ２８（本発明の構成要件であるガイド手段）が、スライド部材２０の全幅に亘って突出形成されている。ガイドリブ２８は、側方から視てＬ字形に屈曲し、前側のガイドリブ２８は前方を向き、後側のガイドリブ２８は後方を向いている。また、ガイドリブ２８には、仮係止凹部２９（本発明の構成要件である仮係止手段）と本係止凹部３０とが形成されているとともに、仮係止凹部２９と本係止凹部３０との間に逃がし凹部３１が形成されている。
【００１８】
同じく、スライド部材２０の上面板２１と下面板２２には、夫々、カム機能部３２（本発明の構成要件である倍力機構）が形成されている。カム機能部３２は、スライド部材２０の外部から収容空間２５内に貫通するように直線溝状に切欠したものであり、両ハウジング１０，４０の嵌合方向（前後方向）に対して斜め方向をなすとともに、スライド部材２０のスライド方向（幅方向）に対しても斜め方向をなしている。カム機能部３２は、スライド部材２０の前端部に配され、カム機能部３２の始端部（前端部）はスライド部材２０の前端縁に開放されている。
【００１９】
第２ハウジング４０は、全体としてブロック状をなし、その内部には、周知形態の複数の雌端子金具（図示せず）が収容されている。第２ハウジング４０の上面と下面には、夫々、軸線を上下方向に向けた円柱形の突起状をなすカムフォロア４１（本発明の構成要件である倍力機構）が形成されている。また、カムフォロア４１の突出端部には、同心の円形をなす拡径部４２が形成されている。
【００２０】
次に、本実施形態の作用を説明する。  
スライド部材２０は、第１ハウジング１０に対して側方から組み付けられている。組付けに際しては、電線導出口２７を先に向け、上面板２１と下面板２２を第１ハウジング１０の上面両面に摺接させながら、ガイドリブ２８をガイド溝１４に係合させるとともに、上面板２１と下面板２２の前端縁を規制溝１８に係合させるようにして幅方向にスライドさせる。スライド部材２０を組み付ける過程では、第１ハウジング１０の背面から後方へ導出された電線１３が、スライド部材２０の移動に伴って後面板２４に押されることにより、側方（第１ハウジング１０に対するスライド部材２０の組付時の移動方向とほぼ同じ方向）へ曲げられる。
【００２１】
そして、スライド部材２０が、図１及び図３に示す待受位置に達すると、係止突起１５が仮係止凹部２９に係止することにより、スライド部材２０が待受位置に保持される。スライド部材２０が待受位置に保持されている状態では、カム機能部３２の始端部が、幅方向において逃がし溝１６と対応するように位置し、カムフォロア４１が進入できるように待機する。また、スライド部材２０の上面板２１及び下面板２２の前端縁は、規制溝１８に係止されることにより、外面側への拡開が規制されている。
【００２２】
また、電線１３は、その屈曲部分を収容空間２５内に収容された状態で、電線導出口２７から側方へ導出されている。この電線１３の電線導出口２７からの導出方向は、スライド部材２０が待受位置から嵌合位置へスライドするときの移動方向とほぼ同じ方向となっている。また、待受位置に保持されているスライド部材２０は、第１ハウジング１０の背面全体を覆うのではなく、第１ハウジング１０の背面のうち幅方向における電線１３が導出される側の端部を除いた領域となっている。
【００２３】
両ハウジング１０，４０を嵌合する際には、図３に示すように、第２ハウジング４０をフード部１２内に浅く嵌合させる。すると、カムフォロア４１が、逃がし溝１６内を進んで、カム機能部３２の始端部内に進入する。この状態から、スライド部材２０を、嵌合位置に向けて幅方向（両ハウジング１０，４０の嵌合方向と直交する方向）へスライドさせる。スライド部材２０がガイドリブ２８とガイド溝１４に沿ってスライドするのに伴い、カム機能部３２とカムフォロア４１との係合によるカム作用により、倍力機能が発揮され、両ハウジング１０，４０が引き寄せられる。この間、係止突起１５は、仮係止凹部２９から外れて逃がし凹部３１内を移動する。また、カムフォロア４１がカム機能部３２に沿って移動する過程では、拡径部４２が上面板２１の外面及び下面板２２の外面に係止することにより、上面板２１と下面板２２が外面側へ拡開することが規制され、ひいては、カムフォロア４１とカム機能部３２との係合状態が保持される。
【００２４】
そして、スライド部材２０が嵌合位置に達すると、図４に示すように、両ハウジング１０，４０が正規の嵌合状態に至り、フード部１２内では雄端子金具のタブと雌端子金具とが導通可能に接続される。また、係止突起１５が本係止凹部３０に係止することにより、スライド部材２０は、嵌合位置において移動を規制された状態に保持される。そして、スライド部材２０が移動規制されると、カム機能部３２とカムフォロア４１との係合により両ハウジング１０，４０が離脱を規制された状態にロックされる。
【００２５】
また、スライド部材２０が待受位置から嵌合位置へスライドする過程では、第１ハウジング１０から導出された電線１３が、後面板２４に押されることにより、収容空間２５内で更に曲げられていく。そして、スライド部材２０が嵌合位置に到達した状態では、第１ハウジング１０の背面（即ち、電線１３の導出領域）がその全体に亘ってスライド部材２０により覆われる。
【００２６】
嵌合されている両ハウジング１０，４０を離脱する際には、スライド部材２０に対し側方から係止突起１５と本係止凹部３０との係止力を裏回る押圧力を付与すると、スライド部材２０が待受位置側へスライドする。このスライド部材２０のスライドに伴い、カム機能部３２とカムフォロア４１との係合によるカム作用により、両ハウジング１０，４０が次第に離間していく。そして、スライド部材２０が待受位置に到達すると、カムフォロア４１がカム機能部３２の始端部まで戻るので、この後は、両ハウジング１０，４０を引き離せばよい。
【００２７】
上述のように本実施形態のコネクタは、第１ハウジング１０と第２ハウジング４０を嵌合させるための倍力手段としての機能と、電線１３を屈曲させる転向手段としての機能との両方の機能を兼ね備えているスライド部材２０を備えているので、倍力手段としてのレバーと転向手段としての電線カバーとを、別々の部品として設けたコネクタに比べると、部品点数が少なくて済んでいる。
【００２８】
また、スライド部材２０は、第１ハウジング１０と第２ハウジング４０を浅く嵌合させるのに伴って倍力機構（カム機能部３２とカムフォロア４１）を係合状態にすることが可能な待受位置と、第１ハウジング１０と第２ハウジング４０を嵌合状態とする嵌合位置との間でスライド可能となっており、スライド部材２０を待受位置に保持することが可能な仮係止手段（係止突起１５と仮係止凹部２９）を設けている。これにより、両ハウジング１０，４０を嵌合する際には、予め、仮係止手段によってスライド部材２０を待受位置に保持しておくことができるので、両ハウジング１０，４０の嵌合時の作業性が向上する。
【００２９】
また、スライド部材２０が待受位置にある状態では、第１ハウジング１０のから導出された電線１３が、スライド部材２０の内部で屈曲されて、スライド部材２０の嵌合位置へのスライド方向とほぼ同じ方向にスライド部材２０外へ導出された状態となっているので、スライド部材２０の待受位置から嵌合位置へのスライド動作が、電線１３によって妨げられる虞がない。
【００３０】
＜他の実施形態＞
本発明は上記記述及び図面によって説明した実施形態に限定されるものではなく、例えば次のような実施態様も本発明の技術的範囲に含まれる。  
（１）上記実施形態ではスライド部材に設けたカム機能部を溝状に延びた形態としたが、カム機能部はリブ状に突出して延びた形態であってもよい。この場合、第２ハウジングに設けたカムフォロアは溝状にすればよい。  
（２）上記実施形態ではスライド部材側の倍力機構を構成するカム機能部を、両ハウジングの嵌合方向とスライド部材のスライド方向の両方向に対して斜め方向に延びた形態とし、第２ハウジング側の倍力機構を構成するカムフォロアを突起状の形態としたが、これに替えて、スライド部材のカム機能部を突起状の形態とし、第２ハウジングのカムフォロアを、両ハウジングの嵌合方向とスライド部材のスライド方向の両方向に対して斜め方向に延びた形態としてもよい。  
（３）上記実施形態ではスライド部材を待受位置に保持するための仮係止手段をガイド手段に設けたが、仮係止手段は、ガイド手段とは異なる位置に設けてもよい。  
（４）上記実施形態ではスライド部材を嵌合位置に保持するための本係止手段をガイド手段に設けたが、本係止手段は、ガイド手段とは異なる位置に設けてもよい。  
（５）上記実施形態ではスライド部材が待受位置にある状態で、第１ハウジングの背面から導出された電線が、スライド部材の内部で屈曲されるようにしたが、これに替えて、スライド部材が待受位置にある状態において、第１ハウジングの背面から導出された電線が、スライド部材に収容されない形態としてもよい。  
（６）上記実施形態ではスライド部材が待受位置にある状態で、電線が、スライド部材の嵌合位置へのスライド方向とほぼ同じ方向にスライド部材外へ導出されるようにしたが、これに替えて、スライド部材が待受位置にある状態で、電線が、スライド部材の嵌合位置へのスライド方向とは反対方向を向いてスライド部材外へ導出されるようにしてもよい。
【図面の簡単な説明】
【００３１】
【図１】実施形態１において第１ハウジングに取り付けられたスライド部材が待受位置に保持されている状態をあらわす一部切欠平面図
【図２】第１ハウジングに取り付けられたスライド部材が待受位置に保持されている状態をあらわす断面図
【図３】スライド部材が待受位置に保持されて第１ハウジングと第２ハウジングが浅く嵌合された状態をあらわす一部切欠平面図
【図４】スライド部材が嵌合位置へスライドして第１ハウジングと第２ハウジングが嵌合した状態をあらわす一部切欠平面図
【図５】スライド部材が嵌合位置へスライドして第１ハウジングと第２ハウジングが嵌合した状態をあらわす断面図
【図６】第１ハウジングの一部切欠平面図
【図７】第１ハウジングの側面図
【図８】スライド部材の一部切欠平面図
【図９】スライド部材の側面図
【符号の説明】
【００３２】
１０…第１ハウジング
１３…電線
１４…ガイド溝（ガイド手段）
１５…係止突起（仮係止手段）
２０…スライド部材
２５…収容空間
２８…ガイドリブ（ガイド手段）
２９…仮係止凹部（仮係止手段）
３２…カム機能部（倍力機構）
４０…第２ハウジング
４１…カムフォロア（倍力機構）
【図１】
2009277488.tif 000003
【図２】
2009277488.tif 000004
【図３】
2009277488.tif 000005
【図４】
2009277488.tif 000006
【図５】
2009277488.tif 000007
【図６】
2009277488.tif 000008
【図７】
2009277488.tif 000009
【図８】
2009277488.tif 000010
【図９】
2009277488.tif 000011